(57)【要約】【課題】原稿を移動させながら情報（画像）を読み取る情報読み取り時における画質の低下を抑制し得る情報処理装置を提供する。【解決手段】原稿搬送手段により前記原稿を前記情報読取位置に移動させながら該原稿の情報を読み取る原稿流し読み取り機能を有する情報処理装置において、スキャナコントローラ２０１により、前記原稿流し読み取り機能部内の原稿搬送部を読み取り、前記原稿搬送部の読取輝度の平坦度を求め、その平坦度の高いポジションにて原稿流し読み取りを行うように制御する。【選択図】      図２
2004200903.tif 000002
【特許請求の範囲】
【請求項１】
原稿搬送手段により前記原稿を読取位置に移動させながら該原稿の情報を読み取る原稿流し読み取り機能を有する情報処理装置において、
読取手段により前記原稿搬送手段の一部を読み取ることで読取信号の平坦度を求め、その平坦度を所定閾値と比較することで前記平坦度が前記所定閾値以下になる位置を検出し、検出された位置を原稿流し読み取り時の読取位置として設定する制御手段を有することを特徴とする情報処理装置。
【発明の詳細な説明】
【０００１】
【発明の属する技術分野】
本発明は、例えば、デジタル複写機等の情報処理装置に関する。
【０００２】
【従来の技術】
従来、例えば、デジタル複写機においては、両面対応自動原稿送り手段等の原稿搬送手段「以下、ＡＤＦ(Auto Document Feeder)と記述する。」を備えたものが知られている。
【０００３】
この種のＡＤＦを備えたデジタル複写機にて、前記ＡＤＦ内の原稿の画像（情報）を複写する場合は、前記ＡＤＦの下方に設けられた画像読取手段をモータにより設定位置、即ち、前記ＡＤＦ内の原稿搬送部の略直下に移動して停止させた後、光源（ランプユニット）から光を出射し、前記原稿搬送部と原稿台ガラスとの間で原稿を搬送させて該原稿を走査し、その反射光を前記画像読取手段により検出するようになっている。
【０００４】
そして、この検出したデータに基づいて、プリンタ部でプリント処理することによって、複写画像が得られるようになっている。
【０００５】
【発明が解決しようとする課題】
しかしながら、上記従来の構成においては、ＡＤＦの下方に設けられた画像読取手段をモータにより設定位置に移動させる際に、ポジションセンサが前記画像読取手段を検出した時点から所定パルスカウント経過した時にモータを停止させ、その位置を画像読取位置としているので、前記ＡＤＦの取り付け位置のばらつきや、前記ＡＤＦの画像読取位置と前記画像読取手段との相対的位置のばらつきによって、前記読取手段の停止精度が悪くなり（約±２ｍｍ程度）、原稿読み取り時の画質の低下が生じるという問題点を有していた。
【０００６】
斯かる門題点の解決手段として、例えば、特許第２９９３８１０号公報に、搬送ローラを副走査方向に移動させながら画像読取手段で読み取って、その値が最大になる位置を画像読取位置とするようにした技術が開示されている。また、特開２００２−１７６５３５号では、搬送ローラを副走査方向に移動させながら画像読取手段で読み取って、所定閾値を上回る範囲又は読み取り値の平坦部分を検出しその中心を読み取り位置に設定するようにした技術が開示されている。
【０００７】
しかしながら、搬送ローラの径や表面性によって、搬送ローラを画像読取手段で読み取った結果において、最大値を有する位置が複数存在する場合が認められている。
【０００８】
また、画像読み取り位置への前記読み取り手段の停止精度を考慮した場合、安定して画質が保てる位置が必ずしも搬送ローラを画像読取手段で読み取った値の最大になる画像読取位置ではない場合がある。
【０００９】
本発明は、上述した従来技術の有する問題点を解消するためになされたもので、その目的は、原稿を移動させながら情報（画像）を読み取る情報読み取り時における画質の低下を抑制し得る情報処理装置を提供することである。
【００１０】
【課題を解決するための手段】
上記目的を達成するために本発明の情報処理装置は、原稿搬送手段により前記原稿を読取位置に移動させながら該原稿の情報を読み取る原稿流し読み取り機能を有する情報処理装置において、読取手段により前記原稿搬送手段の一部を読み取ることで読取信号の平坦度を求め、その平坦度を所定閾値と比較することで前記平坦度が前記所定閾値以下になる位置を検出し、検出された位置を原稿流し読み取り時の読取位置として設定する制御手段を有することを特徴とする。
【００１１】
【発明の実施の形態】
以下、本発明の各実施の形態を図面に基づき説明する。
【００１２】
（第１の実施の形態）
まず、本発明の第１の実施の形態を図１〜図５に基づき説明する。
【００１３】
図１は、本実施の形態に係る情報処理装置（以下、本装置と記述する。）の概略構成を示す側断面図であり、本装置は、スキャナ本体（装置本体）１０１と、このスキャナ本体１０１に対して着脱自在に構成されたＡＤＦ（原稿搬送手段）１０２とを有している。
【００１４】
ＡＤＦ１０２は、原稿載置トレイ１０３の上にセットされた原稿１０４を搬送ローラ１０５によりスキャナ本体１０１の原稿台ガラス１０６の上に搬送して回収する。この際、原稿１０４は、ＡＤＦ１０２に取り付けられた搬送ローラ１０５と、スキャナ本体１０１の第１原稿台ガラス１０６との間を通過し、その通過過程で、スキャナ本体１０１により光学的に走査され原稿の情報（画像）が読み取られる。
【００１５】
即ち、スキャナ本体１０１は、原稿１０４の面に対して光を照射するランプ（光源）１０７、このランプ１０７にて照射された光に対応する原稿１０４からの反射光を、レンズ１０８及びＣＣＤ（撮像素子）１０９へ導くミラー１１０，１１１，１１２を有している。ランプ１０７と第1ミラー１１０は、第１光学台１１３に取り付けられており、また、第２、第３ミラー１１１，１１２は、第２光学台１１４に取り付けられている。
【００１６】
また、両光学台１１３，１１４は、図示しないワイヤによって、図示しないモータと結合され、このモータの回転駆動により第２原稿台ガラス１１５と平行に移動制御される。
【００１７】
１１６はポジションセンサであり、第１光学台１１３のホームポジション位置を検知するためのセンサである。このポジションセンサ１１６の位置を基準として前記モータを正転／逆転することにより、両光学台１１３，１１４を移動し、第２原稿台ガラス１１５の上の原稿を光学的に走査する。
【００１８】
また、前記モータは、ステッピングモータにより構成されている。このモータにはエンコーダが接続されており、このエンコーダの出力により両光学台１１３，１１４が何パルス分移動したかを認識できるようになっている。即ち、ポジションセンサ１１６と前記エンコーダからのエンコーダパルスにより、両光学台１１３，１１４の位置を把握することが可能である。
【００１９】
原稿１０４からの反射光は、ミラー１１０，１１１，１１２を介してレンズ１０８に導かれ、このレンズ１０８によってＣＣＤ１０９上に集光される。このＣＣＤ１０９は、原稿１０４の情報を反映した前記反射光を光電変換し、電子的な画像信号として出力する。
【００２０】
このような構成下で、第１光学台１１３を原稿読取位置に停止させた状態で、ＡＤＦ１０２により原稿１０４を第１原稿台ガラス１０６の上に向けて搬送させながら、この原稿１０４の情報を読み取るＡＤＦ原稿読取モードと、原稿１０４を第２原稿台ガラス１１５上に固定的に載置して、両光学台１１３，１１４を副走査方向に移動させながら、この原稿１０４の情報を読み取る原稿台ガラス原稿読取モードの２つのモードで原稿１０４の情報を読み取ることができる。
【００２１】
図２は、本装置の制御系の概略構成を示すブロック図であり、同図において、図１と同一部分には同一符号が付してある。
【００２２】
図２において、１０５は搬送ローラ、１０７はランプ、１０９はＣＣＤ、１１６はポジションセンサ、１１７はプラテンローラ、２０１は本装置全体を制御するスキャナコントローラ、２０２は両光学台１１３，１１４を副走査方向に移動し原稿を走査するモータ、２０３はＣＣＤ１０９の出力信号をＡ/Ｄ変換するＡ/Ｄ変換回路、２０４はモータ２０２に接続されたエンコーダで、このエンコーダ２０４の出力により、両光学台１１３，１１４が何パルス分移動したかを認識できるようになっている。即ち、ポジションセンサ１１６とエンコーダ２０４からのエンコーダパルスにより、両光学台１１３，１１４の位置を把握することが可能である。２０５はバックアップＲＡＭ（ランダムアクセスメモリ）で、ＡＤＦ原稿読取モードにおける正規の原稿読取位置を設定するものである。
【００２３】
搬送ローラ１０５、ランプ１０７、ＣＣＤ１０９、ポジションセンサ１１６、プラテンローラ１１７、モータ２０２、Ａ/Ｄ変換回路２０３、エンコーダ２０４、バックアップＲＡＭ２０５は、スキャナコントローラ２０１に接続されている。
【００２４】
尚、スキャナコントローラ２０１は、後述する図３のフローチャートに対応するプログラム等の各種のプログラムが格納されたＲＯＭを含んでいる。
【００２５】
スキャナコントローラ２０１は、エンコーダ２０４の出力とポジションセンサ１１６からの出力信号とに基づいて、両光学台１１３，１１４の位置を把握し、Ａ/Ｄ変換回路２０３によってデジタル化されたＣＣＤ１０９の出力信号に基づいて後述する手段にて情報読取位置を調整し、設定された情報読取位置を示すデータをバックアップＲＡＭ２０５に保存する。
【００２６】
この情報読取位置の検知動作及び設定動作は、ＡＤＦ１０２がスキャナ本体１０１に取り付けられた際に行っても、或いはＡＤＦ原稿読取モードでの読取動作をオペレータから指示される毎に行っても、或いは本装置に電源が投入された際に行っても良い。
【００２７】
いずれの場合においても、１枚１枚原稿を読み取る毎に、それら各原稿の読取動作に先立って、その都度、情報読取位置の検知動作及び設定動作を行うことはないので、迅速に原稿を読み取ることが可能である。この情報読取位置の検知動作及び設定動作のタイミングは、オペレータが任意に選択できることが望ましい。
【００２８】
また、例えば、所定のキーを操作することにより、任意のタイミングで情報読取位置の検知動作及び設定動作を実行させることも可能である。この形態は、例えば、スキャナ本体１０１とＡＤＦ１０２との接続機構が、ＡＤＦ１０２を手で触れた場合に、このＡＤＦ１０２とスキャナ本体１０１とが容易に位置ずれを引き起こす可能性がある場合に特に有効である。
【００２９】
次に、本実施の形態に係る情報処理装置における原稿読取位置の検知動作及び設定動作について、図３のフローチャートを用いて説明する。
【００３０】
図３において、スキャナコントローラ２０１は、ＲＯＭに格納されたプログラムに従って、まず、ステップＳ３０１でモータ２０２を駆動制御することにより、ホームポジション位置から予め設定されたパルス数分、第１原稿台ガラス１０６の方向に光学台１１３，１１４を移動し、その位置に停止させる。
【００３１】
この際の移動量は、搬送ローラ１０５の中心位置の略真下に両光学台１１３，１１４が位置するように設定されている。
【００３２】
次に、スキャナコントローラ２０１は、ステップＳ３０２でランプ１０７を点灯させ、ステップＳ３０３でモータ２０２を駆動制御することにより、そこを中心とした副走査方向に所定の範囲だけ両光学台１１３，１１４を移動させながら、ＣＣＤ１０９から出力され且つＡ/Ｄ変換回路２０３にてデジタル信号に変換された信号値を読み取り、その読み取り値をステップＳ３０４でバックアップＲＡＭ２０５に記憶する。
【００３３】
図４は、このときに読み取られた副走査方向の読み取り信号の一例を示す図であり、同図において、縦軸は輝度レベルを、横軸は副走査位置を、それぞれ示す。
【００３４】
次に、スキャナコントローラ２０１は、ステップＳ３０５で前記ステップＳ３０４において読み取られた副走査方向の読み取り値から、以下の方法で平坦度を検出する。
【００３５】
即ち、現在の副走査位置ｙを中心としたモータ２０２の前後を含む５ステップの範囲から、平坦度(ｙ)＝ｍａｘ(検出値(ｙ−２),検出値(ｙ−１),検出値(ｙ),検出値(ｙ＋１),検出値(ｙ＋２))−ｍｉｎ(検出値(ｙ−２),検出値(ｙ−１),検出値(ｙ), 検出値(ｙ＋１), 検出値(ｙ＋２))として、全ての副走査位置から平坦度を求める。
【００３６】
ここではモータ２０２の５ステップの範囲で平坦度を求めたが、モータ２０２のステップ精度、読取値の特性等に合わせ、最適な範囲で平坦度求めることが望ましい。
【００３７】
図５は、図４に示すデータの平坦度検出結果を示す図であり、同図において、縦軸は平坦度を、横軸は副走査位置を、それぞれ示す。
【００３８】
本装置において、平坦度が所定閾値以下である位置において画像を読み取った際には、安定した画質が得られることが確認されている。
【００３９】
再び図３に戻って説明する。
【００４０】
スキャナコントローラ２０１は、ステップＳ３０６で前記ステップＳ３０５において検出された平坦度を所定閾値と比較し、次のステップＳ３０７で平坦度が閾値以下である範囲を検出し、その検出値をバックアップＲＡＭ２０５に保存する。
【００４１】
次に、スキャナコントローラ２０１は、平坦度が閾値以下である範囲の副走査位置の中心を読取位置として設定し、その設定値をバックアップＲＡＭ２０５に保存した後、本処理動作を終了する。
【００４２】
（第２の実施の形態）
次に、本発明の第２の実施の形態を図６及び図７に基づき説明する。
【００４３】
尚、本実施の形態に係る情報処理装置における基本的な構成は、上述した第１実施の形態における図１及び図２と同一であるから、必要に応じてこれら各図を流用して説明する。
【００４４】
図６は、本実施の形態に係る情報処理装置における輝度レベルと副走査位置との関係を示す図であり、同図において、縦軸は輝度レベルを、横軸は副走査位置を、それぞれ示す。
【００４５】
また、図７は、本実施の形態に係る情報処理装置における平坦度と副走査位置との関係を示す図であり、同図において、縦軸は平坦度を、横軸は副走査位置を、それぞれ示す。
【００４６】
上述した第１の実施の形態においては、両光学台１１３，１１４を進退移動させ、各移動位置において、光源であるランプ１０７から搬送ローラ１０５へ光を出射したときの反射光量をＣＣＤ１０９により検出し、検出値の平坦度をスキャナコントローラ２０１により求め、前記平坦度が所定の閾値以下である副走査方向の範囲を検知し、その範囲の中心位置を読取位置として設定するようにしたが、例えば、前記搬送ローラ１０５の径のばらつき等によって図６に示されるような読取信号が検出され、図７に示すように平坦度が閾値を下回る領域が複数存在することがある。そのような場合、更に、平坦度が閾値以下になる複数領域の中で図６に示す読取信号の最大値を含む領域を検出し、検出した領域の中で前記最大値位置を読取位置に設定すればよい。或いは、その複数領域の中で副走査範囲の広い領域中の中心位置を読取位置に設定してもよく、そのように設定することで、より安定した読み取りの可能な読取位置を設定することが可能となる。
【００４７】
（他の実施の形態）
また、本発明は、複数の機器（例えば、ホストコンピュータ、インターフェース機器、リーダー、プリンタ等）から構成されるシステムに適用しても、１つの機器からなる装置（例えば、複写機、ファクシミリ装置等）に適用してもよい。
【００４８】
また、上述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出して実行することによっても、本発明が達成されることは言うまでもない。
【００４９】
この場合、記憶媒体から読み出されたプログラムコード自体が上述した実施の形態の機能を実現することになり、そのプログラムコードを記憶した記憶媒体は本発明を構成することになる。
【００５０】
また、プログラムコードを供給するための記憶媒体としては、例えば、ＲＡＭ、ＮＶ−ＲＡＭ、フロッピー（登録商標）ディスク、ハードディスク、光ディスク、光磁気ディスク、ＭＯ、ＣＤ−ＲＯＭ、ＣＤ−Ｒ、ＣＤ−ＲＷ、ＤＶＤ（ＤＶＤ−ＲＯＭ、ＤＶＤ−Ｒ、ＤＶＤ−ＲＷ等）、磁気テープ、不揮発性のメモリカード、他のＲＯＭ等の上記プログラムコードを記憶できるものであれば良く、或いはネットワークを介したダウンロード等を用いることができる。
【００５１】
また、コンピュータが読み出したプログラムコードを実行することにより、上述した実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれることは言うまでもない。
【００５２】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれることは言うまでもない。
【００５３】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００５４】
本発明の実施態様の例を以下に列挙する。
【００５５】
［実施態様１］  原稿搬送手段により前記原稿を読取位置に移動させながら該原稿の情報を読み取る原稿流し読み取り機能を有する情報処理装置において、
読取手段により前記原稿搬送手段の一部を読み取ることで読取信号の平坦度を求め、その平坦度を所定閾値と比較することで前記平坦度が前記所定閾値以下になる位置を検出し、検出された位置を原稿流し読み取り時の読取位置として設定する制御手段を有することを特徴とする情報処理装置。
【００５６】
［実施態様２］  原稿を情報読取位置に搬送する原稿搬送手段と、この原稿搬送手段により前記原稿を前記情報読取位置に移動させながら該原稿の情報を読み取る情報読取手段とを具備し、前記情報読取手段を前記原稿搬送手段の下方まで移動させ、前記原稿搬送手段の原稿搬送部に向けて前記原稿読取手段の光源から光を出射することにより、前記原稿搬送部と前記光源との間を移動する原稿からの反射光を前記原稿読取手段にて読み取り情報処理を行う情報処理装置であって、
前記光源から光を前記原稿搬送部へ出射したときの反射光量を検出する光量検出手段と、
前記原稿読取手段を進退移動させて各移動位置で前記光量検出手段にて前記原稿搬送部からの反射光量の検出を行わせた際における前記光量検出手段の検出値の平坦度を求める平坦度検出手段と、
前記平坦度検出手段により検出された平坦度が所定の閾値以下になる副走査方向の位置を検知し且つその位置を読取位置として設定する読取位置設定手段とを有することを特徴とする情報処理装置。
【００５７】
［実施態様３］  前記読取位置設定手段は、前記平坦度検出手段により検出された平坦度が所定の閾値以下になる副走査方向の範囲を検知し且つその範囲の中心位置を読取位置として設定することを特徴とする実施態様２に記載の情報処理装置。
【００５８】
［実施態様４］  前記読取位置設定手段は、前記平坦度検出手段により検出された平坦度が所定の閾値以下になる副走査方向の範囲を検知し、且つその範囲内の最大値検出位置を読取位置として設定することを特徴とする実施態様２に記載の情報処理装置。
【００５９】
［実施態様５］  前記読取位置設定手段は、前記平坦度検出手段により検出された平坦度が所定の閾値以下になる副走査方向の範囲を検知し、検知した範囲が複数存在する場合、その中で最も広い範囲を持つ位置を検出し且つその範囲の中心位置を読取位置として設定することを特徴とする実施態様２に記載の情報処理装置。
【００６０】
［実施態様６］  原稿搬送手段により前記原稿を読取位置に移動させながら該原稿の情報を読み取る原稿流し読み取り機能を有する情報処理装置により情報処理する情報処理方法において、
読取手段により前記原稿搬送手段の一部を読み取ることで読取信号の平坦度を求め、その平坦度を所定閾値と比較することで前記平坦度が前記所定閾値以下になる位置を検出し、検出された位置を原稿流し読み取り時の読取位置として設定する制御工程を有することを特徴とする情報処理方法。
【００６１】
［実施態様７］  原稿を情報読取位置に搬送する原稿搬送手段と、この原稿搬送手段により前記原稿を前記情報読取位置に移動させながら該原稿の情報を読み取る情報読取手段とを具備し、前記情報読取手段を前記原稿搬送手段の下方まで移動させ、前記原稿搬送手段の原稿搬送部に向けて前記原稿読取手段の光源から光を出射することにより、前記原稿搬送部と前記光源との間を移動する原稿からの反射光を前記原稿読取手段にて読み取り情報処理を行う情報処理装置により情報処理する情報処理方法であって、
前記光源から光を前記原稿搬送部へ出射したときの反射光量を検出する光量検出工程と、
前記原稿読取手段を進退移動させて各移動位置で前記光量検出工程にて前記原稿搬送部からの反射光量の検出を行わせた際における前記光量検出手段の検出値の平坦度を求める平坦度検出工程と、
前記平坦度検出工程により検出された平坦度が所定の閾値以下になる副走査方向の位置を検知し且つその位置を読み取り位置として設定する読取位置設定工程とを有することを特徴とする情報処理方法。
【００６２】
［実施態様８］  前記読取位置設定工程は、前記平坦度検出工程により検出された平坦度が所定の閾値以下になる副走査方向の範囲を検知し且つその範囲の中心位置を読取位置として設定することを特徴とする実施態様７に記載の情報処理方法。
【００６３】
［実施態様９］  前記読取位置設定工程は、前記平坦度検出工程により検出された平坦度が所定の閾値以下になる副走査方向の範囲を検知し、且つその範囲内の最大値検出位置を読取位置として設定することを特徴とする実施態様７に記載の情報処理方法。
【００６４】
［実施態様１０］  前記読取位置設定工程は、前記平坦度検出工程により検出された平坦度が所定の閾値以下になる副走査方向の範囲を検知し、検知した範囲が複数存在する場合、その中で最も広い範囲を持つ位置を検出し且つその範囲の中心位置を読取位置として設定することを特徴とする実施態様７に記載の情報処理方法。［実施態様１１］  原稿搬送手段により前記原稿を読取位置に移動させながら該原稿の情報を読み取る原稿流し読取機能を有する情報処理装置を制御するためのコンピュータにより読取可能な制御プログラムであって、
読取手段により前記原稿搬送手段の一部を読み取ることで読取信号の平坦度を求め、その平坦度を所定閾値と比較することで前記平坦度が前記所定閾値以下になる位置を検出し、検出された位置を原稿流し読み取り時の読取位置として設定する制御工程をコンピュータに実行させるためのプログラムコードから成ることを特徴とする情報処理装置の制御プログラム。
【００６５】
［実施態様１２］  原稿を情報読取位置に搬送する原稿搬送手段と、この原稿搬送手段により前記原稿を前記情報読取位置に移動させながら該原稿の情報を読み取る情報読取手段とを具備し、前記情報読取手段を前記原稿搬送手段の下方まで移動させ、前記原稿搬送手段の原稿搬送部に向けて前記原稿読取手段の光源から光を出射することにより、前記原稿搬送部と前記光源との間を移動する原稿からの反射光を前記原稿読取手段にて読み取り情報処理を行う情報処理装置を制御するためのコンピュータ読取可能な制御プログラムであって、
前記光源から光を前記原稿搬送部へ出射したときの反射光量を検出する光量検出工程と、前記原稿読取手段を進退移動させて各移動位置で前記光量検出工程にて前記原稿搬送部からの反射光量の検出を行わせた際における前記光量検出手段の検出値の平坦度を求める平坦度検出工程と、前記平坦度検出工程により検出された平坦度が所定の閾値以下である副走査方向の位置を検知し且つその位置を読取位置として設定する読取位置設定工程とをコンピュータに実行させるためのプログラムコードから成ることを特徴とする情報処理装置の制御プログラム。
【００６６】
［実施態様１３］  実施態様１１又は１２に記載の制御プログラムを格納したことを特徴とする記憶媒体。
【００６７】
【発明の効果】
以上説明したように、本発明によれば、原稿を移動させながら情報（画像）を読み取る情報読み取り時における画質の低下を抑制することができる。
【図面の簡単な説明】
【図１】本発明の第１の実施の形態に係る情報処理装置の内部構成を示す側断面図である。
【図２】本発明の第１の実施の形態に係る情報処理装置における制御系の構成を示すブロック図である。
【図３】本発明の第１の実施の形態に係る情報処理装置の動作の流れを示すフローチャートである。
【図４】本発明の第１の実施の形態に係る情報処理装置における輝度レベルと副走査位置との関係を示す図である。
【図５】本発明の第１の実施の形態に係る情報処理装置における平坦度と副走査位置との関係を示す図である。
【図６】本発明の第２の実施の形態に係る情報処理装置における輝度レベルと副走査位置との関係を示す図である。
【図７】本発明の第２の実施の形態に係る情報処理装置における平坦度と副走査位置との関係を示す図である。
【符号の説明】
１０１      スキャナ本体（装置本体）
１０２      ＡＤＦ（原稿搬送手段）
１０３      原稿トレイ
１０４      原稿
１０５      搬送ローラ
１０６      第１の原稿台ガラス
１０７      ランプ（光源）
１０８      レンズ
１０９      ＣＣＤ（撮像素子）
１１０      第１ミラー
１１１      第２ミラー
１１２      第３ミラー
１１３      第１光学台
１１４      第２光学台
１１５      第２原稿台ガラス
１１６      ポジションセンサ
１１７      プラテンローラ（情報読取部）
２０１      スキャナコントローラ
２０２      モータ
２０３      Ａ/Ｄ変換回路
２０４      エンコーダ
３０５      バックアップＲＡＭ（ランダムアクセスメモリ）
【図１】
2004200903.tif 000003
【図２】
2004200903.tif 000004
【図３】
2004200903.tif 000005
【図４】
2004200903.tif 000006
【図５】
2004200903.tif 000007
【図６】
2004200903.tif 000008
【図７】
2004200903.tif 000009